(57)【要約】【課題】複数の測定部のそれぞれのカバーが適切に使用されているようにする技術の提供。【解決手段】第１測定部と第２測定部とを備える眼科装置であって、前記第１測定部が測定可能位置に配置されている第１状態と、前記第２測定部が測定可能位置に配置されている第２状態と、を切り替える切替部と、前記第２状態において前記第１測定部のカバーとなる第１カバーと、前記第１状態において前記第２測定部のカバーとなる第２カバーと、を備え、前記切替部による切り替えに連動して、前記第１カバーは前記第１測定部の移動経路から退避し、前記第２カバーは前記第２測定部の移動経路から退避する、眼科装置を構成する。【選択図】図１
2020058582.tif 000002
【特許請求の範囲】
【請求項１】
第１の種類の眼特性の測定に利用される第１測定部と第２の種類の眼特性の測定に利用される第２測定部とを備える眼科装置であって、
前記第１測定部が測定可能位置に配置され、前記第２測定部が当該第２測定部を収容する第２収容部に収容されている第１状態と、前記第２測定部が測定可能位置に配置され、前記第１測定部が当該第１測定部を収容する第１収容部に収容されている第２状態と、を切り替える切替部と、
前記第１状態において前記第１収容部のカバーとなり、前記第２状態において前記第１収容部に収容された前記第１測定部のカバーとなる第１カバーと、
前記第２状態において前記第２収容部のカバーとなり、前記第１状態において前記第２収容部に収容された前記第２測定部のカバーとなる第２カバーと、を備え、
前記切替部による切り替えに連動して、前記第１カバーは前記第１測定部の移動経路から退避し、前記第２カバーは前記第２測定部の移動経路から退避する、
眼科装置。
【請求項２】
前記第１カバーは、
前記第１測定部に向けて付勢されており、
前記第２カバーは、
前記第２測定部に向けて付勢されている、
請求項１に記載の眼科装置。
【請求項３】
前記切替部は、
前記第１測定部と前記第２測定部とを備え、
前記切替部が移動することによって前記第１状態と前記第２状態とを切り替え、
前記第１カバーと前記第２カバーとの少なくとも一方は、前記切替部に連結されたリンク機構によって動作する、
請求項１または請求項２に記載の眼科装置。
【請求項４】
前記切替部は、接触部を備え、
前記第１カバーは、前記接触部が接触する接触面を備え、
前記切替部の移動の過程で前記接触部が前記接触面に接触することで、前記第１測定部の移動経路から前記第１カバーを退避させる、
請求項３に記載の眼科装置。
【請求項５】
前記切替部は、水平方向に平行な回転軸を中心に回転することで前記第１状態と前記第２状態とを切り替え、
前記第１測定部は、前記切替部に対して固定された第１見口部を含み、
前記第１状態は、前記切替部が前記第１見口部の被検眼側を水平方向に向けた状態であり、
前記第２状態は、前記切替部が前記第１見口部の被検眼側を鉛直上方に向けた状態である、
請求項１〜請求項４のいずれかに記載の眼科装置。
【請求項６】
前記第１状態における前記第１カバーの鉛直方向の高さは、前記第２状態における前記第１カバーの鉛直方向の高さよりも低い、
請求項５に記載の眼科装置。
【請求項７】
前記切替部は、水平方向に平行な回転軸を中心に回転することで前記第１状態と前記第２状態とを切り替え、
前記第２測定部は、空気噴出口に連なる空気路を有し、前記切替部に対して固定された第２見口部を含み、
前記第２状態は、前記切替部が前記空気噴出口を水平方向に向けた位置であり、
前記第１状態は、前記切替部が前記空気噴出口を鉛直下方に向けた位置である、
請求項１〜請求項６のいずれかに記載の眼科装置。
【発明の詳細な説明】
【技術分野】
【０００１】
本発明は、眼科装置に関する。
【背景技術】
【０００２】
従来、複数の測定部が連動して動作することで使用対象となる測定部切り替える構成を備えた眼科装置が知られている。例えば、特許文献１においては、回転部を回転させることによって被検眼の眼前に眼圧測定のための装置が配置された状態と、眼屈折率測定のための装置が配置された状態とを切り替える構成が開示されている。
【先行技術文献】
【特許文献】
【０００３】
【特許文献１】特許第６０１６４４５号公報
【発明の概要】
【発明が解決しようとする課題】
【０００４】
眼科装置において被検眼の眼前に配置される測定部は、光学部品を備える、清潔な状態が保たれる必要があるなどの理由から、使用しない場合であってもカバーで保護されていることが好ましい。しかし、複数の測定部を備える眼科装置において、使用対象の測定部を切り替えるたびに各測定部のカバーをそれぞれ別個に動作させる必要があると、煩雑であり、例えば、特定の測定部のカバーを動作させることを忘れてしまうなどの状況を誘発し得る。
本発明は、前記課題にかんがみてなされたもので、使用対象の測定部がどのように切り替えられたとしても、複数の測定部のそれぞれのカバーが適切に使用されているようにすることを目的とする。
【課題を解決するための手段】
【０００５】
上記の目的を達成するため、眼科装置は、第１の種類の眼特性の測定に利用される第１測定部と第２の種類の眼特性の測定に利用される第２測定部とを備える眼科装置であって、前記第１測定部が測定可能位置に配置され、前記第２測定部が当該第２測定部を収容する第２収容部に収容されている第１状態と、前記第２測定部が測定可能位置に配置され、前記第１測定部が当該第１測定部を収容する第１収容部に収容されている第２状態と、を切り替える切替部と、前記第１状態において前記第１収容部のカバーとなり、前記第２状態において前記第１収容部に収容された前記第１測定部のカバーとなる第１カバーと、前記第２状態において前記第２収容部のカバーとなり、前記第１状態において前記第２収容部に収容された前記第２測定部のカバーとなる第２カバーと、を備え、前記切替部による切り替えに連動して、前記第１カバーは前記第１測定部の移動経路から退避し、前記第２カバーは前記第２測定部の移動経路から退避する。
【０００６】
すなわち、少なくとも２種類の測定部を備える眼科装置において、切替部によって使用対象の測定部が切り替えられる。この構成において、各測定部が使用されない場合にはそれぞれの測定部がカバーで保護される。測定部が切り替えられる場合、切り替えに連動して各カバーが各測定部の移動経路から退避する。そして、各カバーが退避することで形成されたスペースを移動経路として各測定部が移動する。従って、測定部の使用対象を切り替える動作に、各測定部のカバーが連動する。このため、使用対象の測定部がどのように切り替えられたとしても、複数の測定部のそれぞれのカバーが適切に使用されているようにすることができる。
【図面の簡単な説明】
【０００７】
【図１】眼圧を測定する際に利用される第２測定部を含む光学系を示す図である。
【図２】眼屈折率を測定する際に利用される第１測定部を含む光学系を示す図である。
【図３】図３Ａ〜図３Ｄは見口部を含む切替部の動作を模式的に示す図である。
【図４】制御系を含めた本発明の一実施例に係る眼科装置の全体構成を説明するブロック図である。
【図５】図５Ａ〜図５Ｃは、ヘッド部の実例を示す斜視図である。
【図６】図６Ａ，図６Ｂは、ヘッド部を前後方向および上下方向に平行な平面で切断し、切替部７００に関連する部分を抜き出して示した図である。
【図７】図７Ａ，図７Ｂは、ヘッド部を前後方向および上下方向に平行な平面で切断し、切替部７００に関連する部分を抜き出して示した図である。
【図８】図８Ａ〜図８Ｃは、第１測定部の移動経路から第１カバーを退避させる様子を示す図である。
【発明を実施するための形態】
【０００８】
ここでは、下記の順序に従って本発明の実施の形態について説明する。
（１）眼科装置の構成：
（２）カバーの構成：
（２−１）第１カバーの構成：
（２−２）第２カバーの構成：
（３）他の実施形態：
【０００９】
（１）眼科装置の構成：
本発明の一実施形態にかかる眼科装置１は筐体を備えおり、筐体内には、第１の種類の眼特性の測定に利用される第１測定部と第２の種類の眼特性の測定に利用される第２測定部とが備えられている。本実施形態において第１測定部は眼屈折率を測定するための光学系の一部であり、第２測定部は眼圧を測定するための光学系の一部である。図１は、第２測定部を含む光学系を示す図であり、図２は第１測定部を含む光学系を示す図である。すなわち、本実施形態にかかる眼科装置１は、眼圧と眼屈折力との２種類の眼特性を測定可能である。
【００１０】
図３は測定に際して被験者の眼前に配置される見口部を含む切替部を模式的に説明する図であり、図４は制御系を含めた本発明の一実施例に係る眼科装置１の全体構成を説明するブロック図である。これら図１〜図４を用いて本発明の一実施例に係る眼科装置１について以下に説明する。
【００１１】
眼科装置１は図４に示すように、被検眼を測定するための光学系が配置されたヘッド部６０２とヘッド部６０２の中の光学系や切替部の回転動作などを制御する制御部６００を備えた本体部６０１で構成される。なお、本体部６０１は、ヘッド部６０２を本体部６０１に対してＸＹＺ（左右、上下、前後）方向に移動させるＸＹＺ駆動制御部６３０、ヘッド部６０２の空間位置の調整等を支持するジョイスティック６４０、撮影された前眼部の画像や測定結果を表示するモニタ６５０、測定項目等の指示を受け付けるタッチパネル６６０、制御部６００の制御処理において利用されるメモリ６７０、固視標部（後述）を制御する固視標制御部６８０を備えている。測定時はヘッド部６０２を本体部６０１に対してＸＹＺ（左右、上下、前後）方向に移動して被検眼の測定を実施する。
【００１２】
（眼圧測定光学系）
図１には被検眼の眼圧測定を行う全体光学系（眼圧検査光学系）を示す。眼圧測定光学系は、光源１０１からプロファイルセンサ１０７、１０８に至る光路上の光学素子等を含むアライメント光学系１００を備えている。また、眼圧測定光学系は、光源３０１、３０２から２次元撮像素子（ＣＣＤ）３０６に至る光路上の光学素子等を含む観察光学系３００を備えている。さらに、眼圧測定光学系は、光源４０１から反射ミラー４０４を経て被検眼Ｅに至る光路上の光学素子等を含む固視光学系４００と、光源２０１からノズル２０５に至る光路上の光学素子等を含み被検眼の角膜の変形度合いを検出する変位変形検出受光光学系２００とを備えている。図１に示すように眼圧測定光学系を構成する各光学系はその一部が共有される構成になっている。本実施形態においては、後述する切替部を回転させることにより、被検眼の眼前に配置される見口部を切り替えることができる。眼圧測定の際には切替部が回転されて位置決めされ、眼圧測定のためのノズル２０５が被検眼の眼前に配置される。
【００１３】
（アライメント光学系１００）
アライメント光学系１００は、光源１０１からの光がホットミラー１０２で反射され、対物レンズ１０３を通り、ホットミラー１０４で反射された後、平面ガラス２０６及びノズル２０５の開口部を通り被検眼Ｅの角膜に照射する。本実施例では、光源１０１は赤外光を出力するＬＥＤが採用されている。
【００１４】
角膜で反射された光は、主光軸Ｏ１に対して対称的に配置された第１の検出部であるレンズ１０５及びプロファイルセンサ１０７、第２の検出部であるレンズ１０６及びプロファイルセンサ１０８で受光される。プロファイルセンサ１０７及びプロファイルセンサ１０８で得られた信号は本体部６０１の制御部６００で処理され、ＸＹＺ駆動制御部６３０によりヘッド部６０２が被検眼に対して３次元方向にアライメントされる。具体的には、モニタ６５０に表示された前眼部画像のアライメント光による輝点を検者が見て本体部６０１に備えられたジョイスティック６４０を操作することによって、粗アライメントが行われる。この後、輝点が所定の範囲に入るとＸＹＺ駆動制御部６３０によりＸＹＺのオートアライメント（微調整）を実施するように制御される。
【００１５】
（観察光学系３００）
観察光学系３００が利用される場合、ヘッド部６０２の被検眼側に配置された光源３０１及び光源３０２により被検眼の角膜部を含む前眼部領域が照射される。この状態で、対物レンズ３０３、結像レンズ３０５及び２次元撮像素子（ＣＣＤ）３０６により、被検眼の前眼部画像が取得され、取得された被検眼の前眼部画像がモニタ６５０に表示される。光源３０１及び光源３０２は赤外光を出力するＬＥＤが採用されるが、アライメント用の光源１０１より短波長の光を採用する。そのため、ホットミラー１０４は観察用の光（観察光）は透過し、アライメント用の光（アライメント光、光源１０１からの光）は反射する。また、ダイクロイックミラー３０４は、観察光は透過するように反射／透過の波長領域が設定されている。これにより、アライメント光と観察光は適切に分割され、各々の測定を可能にしている。
【００１６】
（固視光学系４００）
固視光学系４００が利用される場合、光源４０１からの光（固視光）がホットミラー４０２で反射され、リレーレンズ４０３を通り、反射ミラー４０４で反射される。この後、光はホットミラー５０６を透過し、ダイクロイックミラー３０４で反射して主光軸Ｏ１を通り、対物レンズ３０３、ホットミラー１０４を通って、被検眼の網膜上で結像する。そのため、光源４０１と被検眼の網膜位置は略共役であることが望ましい。被検眼は固視光に基づいて固視され、眼圧測定などの眼特性の測定が可能になる。光源４０１は被検者が視認可能な可視光を出力するＬＥＤが採用される。
【００１７】
（変位変形検出受光光学系２００）
変位変形検出受光光学系２００が利用される場合、光源２０１からの光（変形検出光）の一部がハーフミラー２０２を透過後、ホットミラー１０２、対物レンズ１０３を透過し、ホットミラー１０４で反射して主光軸Ｏ１を通る。さらに、光は、平面ガラス２０６、ノズル２０５の開口部を通って、被検眼の角膜に照射する。角膜に照射した光は角膜で反射し、逆の経路で、ノズル２０５の開口部、平面ガラス２０６を通過し、ホットミラー１０４で反射して対物レンズ１０３、ホットミラー１０２を通り、その一部がハーフミラー２０２で反射される。その後、光は、集光レンズ２０３により、受光素子２０４で受光される。後述するが、眼圧測定時は、ノズル２０５の先端に設けられた空気噴出口から圧縮された空気が被検眼の角膜に向けて噴射される。空気が噴射されると角膜は変位変形するため受光素子２０４で受光する光量が変化する。この光量の変化の度合いから被検眼の眼圧値を算出するのである。光源２０１も赤外光を出力するＬＥＤが採用されるが、観察光より長波長で、かつ、アライメント光より短波長を光が選択され、採用される。このように、アライメント光、観察光、固視光、変形検出光（光源２０１からの光）の波長が設定され、ホットミラー１０２、１０４、５０６、４０２及びダイクロイックミラー３０４の反射／透過特性を適宜設定することにより、これら４つの光が適切な光路に沿って進むように構成されているのである。
【００１８】
（眼屈折力測定光学系）
図２には被検眼の眼屈折率測定を行う全体光学系（眼屈折力測定光学系）を示す。眼屈折力測定光学系は、光源１０１からプロファイルセンサ１０７、１０８に至る光路上の光学素子等を含むアライメント光学系１００を備えている。また、眼屈折力測定光学系は、光源３０１、３０２から２次元撮像素子（ＣＣＤ）３０６に至る光路上の光学素子等を含む観察光学系３００を備えている。さらに、眼屈折力測定光学系は、光源５１４から固視標５１２、反射ミラー４０４を経て被検眼Ｅに至る光路上の光学素子等を含む固視光学系４００を備えている。さらに、眼屈折力測定光学系は、光源５０１からミラー５０３や平面ガラス５１１を経て被検眼Ｅに至る光路上の光学素子等を含み、被検眼の眼屈折力を検出する眼屈折力光学系５００から構成される。図２に示すように眼屈折力測定光学系を構成する各光学系はその一部が共有される構成になっている。そして、眼屈折力測定の際には切替部が回転されて位置決めされ、眼圧測定のための平面ガラス５１０及び５１１が被検眼の眼前に配置される。
【００１９】
アライメント光学系１００と観察光学系３００は上述の眼圧測定時と同じであるので、ここでは、説明を省略する。固視光学系４００は、眼圧測定時とは一部異なるため、以下に説明する。
【００２０】
（固視光学系４００：眼屈折力測定）
眼屈折力を測定する場合は、眼圧測定時に用いた光源４０１を消灯して、別の光源である光源５１４を点灯する。光源５１４からの光はコリメータレンズ５１３で平行光とされ、固視標５１２に照射される。そして、固視標５１２からの光はホットミラー４０２、リレーレンズ４０３を透過した後、反射ミラー４０４で反射し、ホットミラー５０６を透過して、ダイクロイックミラー３０４で反射して主光軸Ｏ１を通る。この後、光は、対物レンズ３０３、ホットミラー１０４、平面ガラス５１１、５１０を透過して、被検眼Ｅの網膜上で結像する。そのため、固視標５１２と被検眼の網膜位置は略共役であることが望ましい。被検眼は固視標５１２に基づいて固視される。眼屈折力を測定する際は、制御部６００が固視標制御部６８０に制御指示を出力する。この結果、固視標制御部６８０は、固視標と被検眼の網膜位置が略共役になるように固視標部（固視標５１２、コリメータレンズ５１３及び光源５１４）を移動制御して被検眼を固視させる。その後、制御部６００が固視標制御部６８０に制御指示を出力し、固視標制御部６８０が固視標部を所定距離移動して雲霧状態にしてから、眼屈折力を測定する。そのため、制御部６００からの信号により固視標部は光軸に沿って前後に移動可能となっている。光源５１４は光源４０１より短波長である被検者が視認可能な可視光を出力するＬＥＤが採用される。
【００２１】
（眼屈折力光学系５００）
眼屈折力光学系５００が利用される場合、光源５０１からの光（レフ光）が集光レンズ５０２で集光し、ミラー５０３で反射して穴あきミラー５０４の中心にある穴を通る。そして、光軸Ｏ２に対して斜めに配置し、図示しない駆動部により光軸Ｏ２を中心に回転する平行平面ガラス５０５を光が透過した後、光は、ホットミラー５０６及びダイクロイックミラー３０４で反射して主光軸Ｏ１を通る。そして、光は、対物レンズ３０３、ホットミラー１０４、平面ガラス５１１及び平面ガラス５１０を透過して被検眼Ｅの網膜に照射する。そして、被検眼Ｅの網膜からの反射光は、照射時とは逆の経路で、平面ガラス５１０、平面ガラス５１１、ホットミラー１０４及び対物レンズ３０３を透過する。さらに、光は、ダイクロイックミラー３０４及びホットミラー５０６で反射して光軸Ｏ２を通り、平行平面ガラス５０５を透過した後、穴あきミラー５０４で反射し、レンズ５０７を透過する。その後、光は、リングレンズ５０８により、２次元撮像素子（ＣＣＤ）５０９でリング状に結像（リング像）する。光源５０１は、アライメント光（光源１０１）や観察光（光源３０１及び３０２）より長波長の赤外光が採用されている。本実施例では、波長８７０ｎｍのＳＬＤ（スーパールミネッセントダイオード）を採用しているが、これに限定するものではなく、光源１０１などに採用したＬＥＤやレーザーダイオード（ＬＤ）を採用してもよい。
【００２２】
ここで、平行平面ガラス５０５は被検眼Ｅの瞳孔に共役となる位置に配置されている。レフ光（光源５０１からの光）は、光軸Ｏ２に対して斜めに配置した平行平面ガラス５０５に入射すると屈折して光軸Ｏ２に対して所定距離（例えばΔＨ）ずれる。上述のように、平行平面ガラス５０５は光軸Ｏ２を中心に回転するため、平行平面ガラス５０５を透過したレフ光は平行平面ガラス５０５の位置で、半径ΔＨで回転する。平行平面ガラス５０５は被検眼Ｅの瞳孔位置と共役な位置に配置されているため、被検眼Ｅの瞳孔位置で所定（一定）の半径（例えばΔｈ）で回転しながら被検眼の網膜上に照射する。このため、レフ光は被検眼Ｅの網膜上で被検眼Ｅの眼屈折力に応じた大きさや形状を持つ円状に結像される。ＣＣＤ５０９は被検眼Ｅの網膜と共役の位置に配置されているため、ＣＣＤ５０９で取得したリング像を解析することにより、被検眼の眼屈折力を求めることができるのである。
【００２３】
（見口部）
次に、本実施形態における切替部について図３を参照して説明する。図３Ａ〜図３Ｄは見口部を搭載した切替部７００を模式的に示す図である。切替部７００は、ヘッド部６０２に設けられた回転軸に対して回転可能に支持される。本実施形態において、切替部７００は、第１測定部および第２測定部を備えている。すなわち、本実施形態においては、眼屈折率を測定するための光学系に含まれ、切替部７００によって切り替えられる部分が第１測定部である。また、眼圧を測定するための光学系に含まれ、切替部７００によって切り替えられる部分が第２測定部である。
【００２４】
図３Ａと図３Ｂは眼圧測定時、図３Ｃと図３Ｄは眼屈折力測定時における第１測定部および第２測定部の配置を示している。また、図３Ａおよび図３Ｃは切替部７００を横から見た断面図であり、図３Ｂおよび図３Ｄは被検眼Ｅから見た図である。
【００２５】
なお、本実施形態においては、被検眼Ｅの視線方向であって水平方向に平行な方向を前後方向、視線方向に垂直であって水平方向に平行な方向を左右方向（横方向）、鉛直方向を上下方向とする。図３Ａおよび図３Ｃは、切替部７００を被検眼Ｅの右側の空間から眺めた状態を示している。
【００２６】
第１測定部は、眼屈折力測定時に被検眼Ｅの視線方向に配置される第１見口部５１０ａ，平面ガラス５１０および５１１を備えている。第２測定部は、眼圧測定時に被検眼Ｅの視線方向に配置される第２見口部２０５ａ，ノズル２０５および平面ガラス２０６を備えている。すなわち、切替部７００の内部は空洞であるとともに、当該空洞は直交する２個の筒状の空洞が連結されるようにして形成されている。そして、一方の筒状の空洞の軸に沿ってノズル２０５および平面ガラス２０６が配置されている。また、他方の筒状の空洞の軸に沿って平面ガラス５１０，５１１が配置されている。なお、図３Ａおよび図３Ｃにおいては、筒状の空洞の軸が一点鎖線によって示されている。
【００２７】
切替部７００は、筒状の空洞の軸の交点を通り、左右方向に平行な回転軸Ａｘを中心に回転できるようにヘッド部６０２に対して支持されている。すなわち、切替部７００が回転すると、被検眼Ｅの眼前にノズル２０５が配置される状態と、平面ガラス５１０が配置される状態とを切り替えることができる。
【００２８】
切替部７００の内部に形成された空洞には眼圧測定の際にノズル２０５から被検眼Ｅに向けて空気を噴射させるためのシリンダーＳが接続される。本実施形態においては、図３Ｂ，図３Ｄに示すように切替部７００の右側にシリンダーＳが配置され、シリンダーＳは配管Ｐａを介して切替部７００に接続される。本実施形態においては、配管Ｐａと切替部７００との接続部Ｐａ１において、配管Ｐａ内における空気路の中心軸が切替部７００の回転軸Ａｘと一致するようにシリンダーＳと切替部７００とが接続されている。むろん、配管Ｐａは切替部７００の左右どちら側に接続されていても良い。
【００２９】
眼圧測定時は、制御部６００がシリンダー制御部６２０に制御信号を出力する。この結果、シリンダー制御部６２０は、ソレノイド等のアクチュエータを駆動する。アクチュエータが駆動されると、アクチュエータによって動作するシリンダーＳ内のピストンＰｓが空気を押し出す（図３Ａに示す矢印Ｆ1）。さらに、空気が切替部７００内部の空洞を流れ（図３Ａに示す矢印Ｆ2）、ノズル２０５から被検眼Ｅの角膜に空気が噴出される。
【００３０】
第１測定部と第２測定部は、制御部６００が切替部７００を移動させることによって切り替えられる。すなわち、切替部７００には図示しないモーターが接続されており、制御部６００が切替制御部６１０に制御信号を出力すると、切替制御部６１０はモーターを動作させることができる。モーターが動作すると、図３に示す回転機構部７９０を介してモーターの回転駆動力が切替部７００に伝達され、切替部７００が回転軸Ａｘを中心に回転する。
【００３１】
切替制御部６１０は、モーターの回転方向および回転量を制御することができる。制御部６００が、眼屈折力測定の開始を示す制御信号を出力すると、切替部７００が図３Ａに示す状態であれば切替制御部６１０がモーターを駆動させ、切替部７００を図３Ｃに示す状態に回転移動させる。切替部７００が既に図３Ｃに示す状態である場合、切替制御部６１０は切替部７００を回転させない。いずれにしても、この状態においては、眼屈折率を測定するための第１測定部が測定可能位置に配置され、第２測定部は測定可能位置に配置されていない。この状態において第２測定部は、ヘッド部６０２の筐体内に収容される（詳細は後述）。本実施形態においては、この状態を第１状態と呼ぶ。
【００３２】
制御部６００が、眼圧測定の開始を示す制御信号を出力すると、切替部７００が図３Ｃに示す状態であれば切替制御部６１０がモーターを駆動させ、切替部７００を図３Ａに示す状態に回転移動させる。切替部７００が既に図３Ａに示す状態である場合、切替制御部６１０は切替部７００を回転させない。いずれにしても、この状態においては、眼圧を測定するための第２測定部が測定可能位置に配置され、第１測定部は測定可能位置に配置されていない。この状態において第１測定部はカバーで保護される（詳細は後述）。本実施形態においては、この状態を第２状態と呼ぶ。
【００３３】
（２）カバーの構成：
以上のように、本実施形態においては、切替部７００を回転させることによって第１状態と第２状態とを切り替えることができる。本実施形態において、第１状態では第２測定部が使用されず、第２状態では第１測定部が使用されない。そこで、本実施形態においては、使用されない測定部を収容するように構成されている。本実施形態において、収容先はヘッド部６０２であるが、測定部が収容された状態において、使用しない測定部がカバーによって保護されるように構成されている。
【００３４】
すなわち、第１測定部および第２測定部は、眼特性を測定する光学系を構成する光学部品を含み、光学部品は精巧な部品である。また、第１測定部および第２測定部は、眼前に配置されるため、ほこりや指紋等の汚れの付着が防止され、清潔な状態が保たれるべきである。そこで、本実施形態においては、収容された状態の第１測定部および第２測定部を保護するための第１カバーおよび第２カバーがヘッド部６０２に設けられている。
【００３５】
図５Ａ〜図５Ｃは、ヘッド部６０２の実例を示す斜視図である。ヘッド部６０２には、後方において切替部７００に取り付けられた見口部が露出するように切替部７００が回転軸に支持されている。図５Ａは第１状態、図５Ｂは第２状態を示し、図５Ｃは第１状態と第２状態とを切り替えている過程を示している。
【００３６】
図５Ａは、第１測定部が測定可能位置に存在する第１状態であるため、第１測定部を構成する平面ガラス５１０が取り付けられた第１見口部５１０ａの被検眼側が水平方向後方を向き、眼前に位置する。図５Ｂは、第２測定部が測定可能位置に存在する第２状態であるため、第２測定部を構成するノズル２０５を備える第２見口部２０５ａの被検眼側が水平方向後方を向き、眼前に位置する。
【００３７】
第１測定部を構成する第１見口部５１０ａは、図５Ａから図５Ｃを経て図５Ｂに至ると第１見口部５１０ａの被検眼側を鉛直上方に向けた状態でヘッド部６０２の上部に収容される。このため、ヘッド部６０２の後方の上部には、第１カバー１０が設けられている。ヘッド部６０２の後方の上部には、第１見口部５１０ａ等を備える第１測定部が収容される第１収容部が設けられている。第１測定部が使用されない第２状態において第１測定部が第１収容部に収容され、第１測定部が使用される第１状態において第１測定部は第１収容部に収容されず、被検眼Ｅの眼前に位置する。従って、第１カバー１０は、第１状態において第１収容部のカバーとなり、第２状態において第１収容部に収容された第１測定部のカバーとなる。
【００３８】
なお、第１カバー１０は、第１カバー１０の前方側に設けられた回転軸に対して回転可能に支持される（詳細は後述）。従って、第１カバー１０の後方が揺動するが、この際、第１カバー１０の左右方向に検査者等の指が挟まれないようにするため、第１カバー１０とヘッド部６０２との間に隙間が形成されないように構成されている。具体的には、第１カバー１０は、上方において露出する面から、下方に向けて延びるリブ１０ｒを備えている。当該リブ１０ｒは、第１カバー１０が最大限上方に揺動した状態であっても第１カバー１０とヘッド部６０２との間に隙間が形成されない長さを有している。
【００３９】
また、ヘッド部６０２の上部においては凹部が形成されており、当該凹部に第１カバー１０が嵌まるようにして第１カバー１０が回転軸に支持される。当該凹部の縁の形状は、第１カバー１０に形成されたリブ１０ｒの形状に沿うように設計されている。リブ１０ｒは、当該筐体の形状に沿うようにして下方に延びているため、第１カバー１０が上方に揺動した状態において、左右方向および前方のいずれの部位にも隙間を生じさせない。従って、眼特性が測定される際に、作業者等が第１カバー１０の周囲に手や指を配置しつつ開瞼作業等を行ったとしても、第１カバー１０とヘッド部６０２との間に指が挟まれることはない。
【００４０】
さらに、第１測定部が使用されない第２状態において、第１見口部５１０ａは、被検眼側を鉛直上方に向けた状態でヘッド部６０２の上部に収容される。そして、この状態において、第１見口部５１０ａの被検眼側は、上から第１カバー１０でカバーされる。従って、第１見口部５１０ａが使用されない状態において、ほこりや指紋等の汚れの付着が防止され、清潔な状態が保たれる。
【００４１】
第２測定部を構成する第２見口部２０５ａは、図５Ｂから図５Ｃを経て図５Ａに至ると第２見口部２０５ａの被検眼側を鉛直下方に向けた状態でヘッド部６０２の後方の内部に収容された状態になる。この際、第２見口部２０５ａの移動経路が開口した状態にならないようにするため、ヘッド部６０２の後方には、第２カバー２０が設けられている。すなわち、ヘッド部６０２の後方の内部には、第２見口部２０５ａ等を備える第２測定部が収容される第２収容部が設けられている。第２測定部が使用されない第１状態において第２測定部が第２収容部に収容され、第２測定部が使用される第２状態において第２測定部は第２収容部に収容されず、被検眼Ｅの眼前に位置する。従って、第２カバー２０は、第２状態において第２収容部のカバーとなり、第１状態において第２収容部に収容された第２測定部のカバーとなる。
【００４２】
第２測定部が使用されない第１状態において、第２見口部２０５ａの被検眼側に存在する空気噴出口は、ヘッド部６０２の内部に存在し、かつ、下方を向いており、さらに第２カバー２０が存在することによってヘッド部６０２の外部に露出しない状態になっている。従って、第２見口部２０５ａに対するほこりや指紋等の汚れの付着が防止され、清潔な状態が保たれる。また空気噴出口の内部にほこりや汚れが進入することが防止される。
【００４３】
（２−１）第１カバーの構成：
次に、第１カバーの構成を詳細に説明する。図６Ａ，図６Ｂ，図７Ａ，図７Ｂは、ヘッド部６０２を前後方向および上下方向に平行な平面で切断し、切替部７００に関連する部分を抜き出して示した図である。なお、図６Ａが第１状態、図７Ｂが第２状態であり、図６Ａ，図６Ｂ，図７Ａ，図７Ｂの順で第１状態から第２状態に向けて徐々に切替部７００が回転する様子が示されている。
【００４４】
第１カバー１０は、ヘッド部６０２の後方上部に形成された凹部に嵌まる形状を有しており、ヘッド部６０２に設けられた回転軸１０ａに対して第１カバー１０の前方の端部側の部位が回転可能に支持される。従って、第１カバー１０は、回転軸１０ａを中心とし、ヘッド部６０２の後方側の端部が揺動するように構成されている。本実施形態において、第１カバー１０は、第１測定部に向けて付勢されている。具体的には、本実施形態において第１カバー１０は、第１見口部５１０ａ等を備える第１測定部や、第１測定部を収容する第１収容部１０ｂを、上方側から保護するカバーである。そこで、第１カバー１０には、鉛直下方に向けた力（回転軸１０ａを中心に図６Ａ等の時計回り方向に向けた力）が常に作用するように、バネ１０ｃが取り付けられている。従って、第１カバー１０は、可能な限り第１見口部５１０ａ等を備える第１測定部との隙間が開かないように構成されている。また、第１カバー１０が過度に回転し、第１収容部１０ｂを開け放ったままにすることはない。当該バネ１０ｃが存在すれば、重力を利用しなくても第１カバー１０と第１測定部との間の隙間ができる限り小さくなるようにすることができる。
【００４５】
第１カバー１０は、第１見口部５１０ａ等を備える第１測定部と第１カバー１０との隙間が既定の間隔未満になるように設計されている。ここで、既定の間隔は、人間の指が入る間隔よりも狭い間隔である。例えば、図６Ａに示す第１状態においては、第１測定部の上端の部位７００ａと第１カバー１０との間にほとんど隙間が発生しないように設計されている。このため、この状態の第１カバー１０の位置が維持された状態で切替部７００の回転によって第１見口部５１０ａが反時計回りに回転すると、第１見口部５１０ａと第１カバー１０とが干渉してしまう。
【００４６】
そこで、本実施形態においては、切替部７００の回転動作に連動して第１カバー１０が第１測定部（第１見口部５１０ａ）の移動経路から退避するように構成されている。具体的には、切替部７００には、第１カバー１０を退避させるための接触部が設けられており、第１カバー１０には、当該接触部が接触する接触面が設けられている。そして、切替部７００の回転移動の過程で接触部が接触面に接触することで、第１測定部（第１見口部５１０ａ）の移動経路から第１カバー１０を退避させる。
【００４７】
図８Ａ〜図８Ｃは、第１測定部（第１見口部５１０ａ）の移動経路から第１カバー１０を退避させる様子を示す図である。図８Ａ〜図８Ｃにおいては、切替部７００を被検眼Ｅの右側の空間から眺めた状態を示している。また、図８Ａは第１状態、図８Ｃは第２状態であり、図８Ｂは第１状態から第２状態に切り替える過程を示している。
【００４８】
切替部７００は、右方向（図面手前方向）に突出する円柱状の接触部７００ｂを備えている。一方、第１カバー１０は鉛直下方および前後方向に延びるリブ状の部位を備えており、当該リブ状の部位の下端面が接触面１０ｄを構成している。接触面１０ｄは、鉛直下方に向けられた曲面であり、前後方向に延びている。また、接触面１０ｄは、第１状態において接触面１０ｄの後方の端部において接触部７００ｂと接し、第２状態において接触面１０ｄの前方の端部において接触部７００ｂと接する。さらに、接触面１０ｄは、第１状態から第２状態に切り替わる全課程において、接触部７００ｂに接する。
【００４９】
すなわち、接触部７００ｂは、切替部７００の回転中心Ｏｒから特定の距離Ｒにおいて右方向に突出しているため、切替部７００が回転すると、接触部７００ｂは回転中心Ｏｒから特定の距離を半径とした円弧上を移動する。この移動過程の全ての過程で接触面１０ｄが接触部７００ｂに接した状態である。そして、第１状態において接触部７００ｂの回転中心Ｏｒと接触面１０ｄとの距離Ｌｒは、半径Ｒより短い。
【００５０】
従って、切替部７００の回転に伴って接触部７００ｂが回転すると、接触部７００ｂが接触面１０ｄを押し上げる。この結果、第１カバー１０は、回転軸１０ａを中心に揺動し、例えば図８Ｂに示すような状態になる。本実施形態において、接触面１０ｄの曲面形状は、第１状態から第１カバー１０を押し上げる量を調整する形状である。本実施形態においては、接触面１０ｄの形状を調整することにより、第１測定部の回転によって第１カバー１０を押し上げ、第１見口部５１０ａが通過する空間（移動経路）から第１カバー１０を退避させる（図８Ｂ）。
【００５１】
さらに、第１カバー１０が退避し、第１見口部５１０ａと干渉することなく第１見口部５１０ａを通過させると、第１見口部５１０ａが第１カバー１０の下方に収容された状態になる。第１見口部５１０ａが第１カバー１０の下方に収容されていく過程においては、第１カバー１０が徐々に下降することによって第１カバー１０と第１測定部との間の隙間が過度に大きくならないように構成されている。具体的には、本実施形態においては、第１カバー１０と第１測定部（第１見口部５１０ａ等）との間の隙間に指が挟まらないように形成されている。すなわち、第１カバー１０と第１測定部との間の隙間の最大値が、既定値以下になるように設計されており、当該既定値は、統計的に人間の指が入らないような隙間の大きさとなるように設計されている。
【００５２】
第１カバー１０は第１測定部（第１見口部５１０ａ）の移動経路から退避するが、退避量はできるだけ小さくなるように構成されている。すなわち、第１カバー１０には、バネ１０ｃが取り付けられており、第１カバー１０は第１測定部（第１見口部５１０ａ）側に付勢されている。従って、第１状態から第２状態に切り替える過程において、第１カバー１０と第１測定部との間に過度の隙間が形成されず、作業者が指を挟むことはない。
【００５３】
さらに、本実施形態においては、第２状態において第１見口部５１０ａの被検眼側が鉛直上方を向いた状態で第１見口部５１０ａが第１カバー１０の下方の第１収容部１０ｂ（図６Ａ等参照）に収容される。一方、第１状態において第１収容部１０ｂに第１見口部５１０ａは存在せず、第１収容部１０ｂが空になる。このため、第１状態における第１カバー１０の後部の鉛直方向の高さＨ1は、第２状態における第１カバー１０の後部の鉛直方向の高さＨ2よりも低くなっている（高さの基準点は任意）。従って、眼屈折率を測定する際において作業者等が開瞼作業を行うために、第１カバー１０の周囲に手や指を配置するスペースが確保されることになり、作業が容易になる。
【００５４】
（２−２）第２カバーの構成：
次に、第２カバーの構成を詳細に説明する。第２カバー２０は、ヘッド部６０２の後方下部においてヘッド部６０２の内部に取り付けられる。また、第２カバー２０の一部は、ヘッド部６０２の後方の筐体に形成された開口部を塞ぐように機能する。
【００５５】
本実施形態において、第２カバー２０は、板状の部材であり、上部において２回屈曲している。第２カバー２０においては、ヘッド部６０２の内側を向いた面に前方に向けて突出する突出部２０ａ１，２０ｂ１が設けられている。突出部２０ａ１は第２カバー２０の上部において左右各１個設けられ、突出部２０ｂ１は第２カバー２０の下部において左右各１個設けられており、図６Ａ，図６Ｂ，図７Ａ，図７Ｂにおいては、突出部２０ａ１，２０ｂ１の一方（右側）を示している。
【００５６】
ヘッド部６０２の内部には、溝６０３が設けられている。溝６０３は、ヘッド部６０２の後方側の内部において、切替部７００の下方の点からさらに下方に向けて形成された溝であり、上から下に向けて溝の向きが後から前に向かうように、ヘッド部６０２内で斜めに形成されている。また、溝６０３は、前後方向の幅が略一定であり、左右方向の深さが略一定である。
【００５７】
溝６０３は、ヘッド部６０２の筐体に形成されていても良いし、ヘッド部６０２の筐体に対して取り付けられた部品に形成されていても良い。いずれにしても、溝６０３は、第２カバー２０の左右側に各１個形成されており、突出部２０ａ１，２０ｂ１に隣接した位置に形成されている。そして、突出部２０ａ１，２０ｂ１のそれぞれには、左右方向に延びる突起が形成されており、当該突起を溝６０３に挿入することができる。
【００５８】
突起の幅は溝６０３の幅よりも僅かに小さく、突起が溝６０３に挿入された状態において、突起が溝６０３に沿って移動することができる。従って、第２カバー２０は、当該突起の溝６０３に沿った移動により、姿勢が一定の状態で上下方向にスライドする。また、上下方向にスライドする動作と同時に前後方向にスライドする。すなわち、第２カバー２０が、最上部に位置する状態から下方に向けてスライドすると、スライドとともに第２カバー２０が前方にスライドする。
【００５９】
本実施形態において、第２カバー２０にはリンク機構２１が連結されている。リンク機構２１は板状の部材の中央寄りの部分が鈍角に曲げられたような形状である。リンク機構２１の上端部２１ａは切替部７００の第２見口部２０５ａに対して回転可能に連結されている。一方、リンク機構２１の下端部２１ｂは、第２カバー２０の下部に設けられた突出部２０ｂ１に対して回転可能に連結されている。なお、リンク機構２１の上端部２１ａ、下端部２１ｂの双方において、回転軸は左右方向に平行である。
【００６０】
従って、リンク機構２１は、切替部７００の回転動作を第２カバー２０に伝達し、切替部７００の回転動作に応じて第２カバー２０を上下（後前）にスライド移動させる部材として機能する。以上の構成により、切替部７００を回転移動させるだけで、第２カバー２０をスライド移動させ、ヘッド部６０２の開口部を開閉させることができる。
【００６１】
さらに、切替部７００によって第１状態から第２状態に切り替えられる際の動作を説明する。図６Ａに示す第１状態において、第２測定部の第２見口部２０５ａは、ヘッド部６０２の内部（図７Ａに示す第２収容部２０ｂ）に収容されている。また、第２カバー２０はその可動範囲の上端に位置し、第１見口部５１０ａの下方に設けられたヘッド部６０２の開口部を塞いでいる。従って、第１状態において、第２カバー２０は、第２収容部２０ｂに収容された第２測定部のカバーとなっている。なお、リンク機構２１は、上端部２１ａと下端部２１ｂとを結ぶ部材であるが、平面状ではなく屈曲した板状の部材である。このため、第１状態において第２カバー２０と第２見口部２０５ａとが干渉せずに、第２見口部２０５ａを第２収容部２０ｂに収容することができる。
【００６２】
第１状態において上端部２１ａは、図６Ａに示すように、切替部７００の回転軸Ａｘよりも前方に存在する。この状態から第２状態に向けて変化する過程で切替部７００が回転すると、上端部２１ａは、後方に移動しながら一旦下方に移動し、最下端まで移動すると、図６Ｂのように後方に移動しつつ徐々に上方に移動し始める。
【００６３】
従って、リンク機構２１に連結されている第２カバー２０は、図６Ａに示す第１状態から、一旦下方にスライドし、下端（図６Ｂはほぼ下端である）に達した後に上昇し、図７Ａを経て第２状態（図７Ｂ）に至る。この動作の過程において、第２カバー２０が最下端に達した近辺で、第２測定部（第２見口部２０５ａ）が、第２カバー２０に触れることなくその直上を通過する。
【００６４】
すなわち、第１状態において第２カバー２０は、第１見口部５１０ａの下方における開口部を塞ぐように配置されている。しかし、第１状態における第２カバー２０の位置が変化しない状態で切替部７００が回転すると、第２状態に変化する過程で第２カバー２０と第２見口部２０５ａとが干渉してしまう。そこで、本実施形態においては、リンク機構２１によって第２カバー２０を、一旦、第２測定部（第２見口部２０５ａ）の移動経路から退避させる。この結果、図６Ｂに示すように第２見口部２０５ａが第２カバー２０と干渉することなく移動可能になる。
【００６５】
この後、切替部７００がさらに回転すると、図７Ａに示すように第２測定部（第２見口部２０５ａ）がヘッド部６０２の外部に露出した状態となり、徐々に第２カバー２０が上方にスライドする。そして、図７Ｂに示すように第２測定部の第２見口部２０５ａが測定可能位置に達すると、第２状態となる。当該第２状態では、第２見口部２０５ａがヘッド部６０２の下部内部の第２収容部２０ｂに存在せず、第２収容部２０ｂが空になる。従って、第２状態において第２カバー２０は、第２収容部２０ｂをカバーしていることになる。
【００６６】
さらに、本実施形態において、第２カバー２０は、第２測定部に向けて付勢されている。具体的には、第２見口部２０５ａを含む第２測定部は、第２カバー２０から見て上方に存在する。そこで、本実施形態において第２カバー２０には、鉛直上方に向けた力が常に作用するように、バネ２０ｃが取り付けられている。
【００６７】
すなわち、溝６０３の上方にはフックが設けられており、当該フックと突出部２０ｂ１とに対してバネ２０ｃが取り付けられている。このため、第２カバー２０には、常に上方に向けた力が作用する。従って、第２カバー２０は、可能な限り第２見口部２０５ａ等を備える第２測定部との隙間が開かないように構成されている。
【００６８】
本実施形態において、第２カバー２０の形状およびリンク機構２１の形状は、第２カバー２０の上端と第２測定部（第２見口部２０５ａ等）との間の隙間の最大値が、既定値以下になるように設計されている。なお、当該既定値は、統計的に人間の指が入らないような隙間の大きさとなるように設計されている。
【００６９】
第２カバー２０は第２測定部（第２見口部２０５ａ）の移動経路から退避するが、退避量はできるだけ小さくなるように構成されている。すなわち、第２カバー２０には、バネ２０ｃが取り付けられており、第２カバー２０は第２測定部（第２見口部２０５ａ）側に付勢されている。従って、第１状態から第２状態に切り替える過程において、第２カバー２０と第２測定部との間に過度の隙間が形成されず、作業者が指を挟むことはない。なお、バネ２０ｃが存在すれば、重力を利用しなくても第２カバー２０と第２測定部との間の隙間ができる限り小さくなるようにすることができる。
【００７０】
以上のように、本実施形態における第１カバー１０および第２カバー２０は、切替部７００が回転することにより、切替部７００に連動して動作する。そして、本実施形態においてはできるだけ隙間を小さくするように構成されており、第１状態および第２状態における第１カバー１０および第２カバー２０の位置は、移動過程の第１測定部や第２測定部と干渉し得る位置である。しかし、本実施形態によれば、第１カバー１０および第２カバー２０が切替部７００の回転に連動して各カバーが退避する。
【００７１】
そして、各カバーが退避することで形成されたスペースを移動経路として各測定部が移動する。また、各測定部が移動経路を通過し終えると、第１カバー１０および第２カバー２０には、バネ１０ｃ、２０ｃによって元の位置に戻ろうとする力が作用する。従って、制御部６００は、切替制御部６１０に制御信号を出力して切替部７００を回転させるのみで、第１カバー１０および第２カバー２０を動作させることができる。このため、使用対象の測定部がどのように切り替えられたとしても、複数の測定部のそれぞれのカバーが適切に使用されているようにすることができる。
【００７２】
（３）他の実施形態：
以上の実施形態は本発明を実施するための一例であり、複数の測定部のそれぞれをカバーする複数のカバーを、測定部の切り替えに連動して動作させることができる限りにおいて、他にも種々の実施形態を採用可能である。例えば、眼科装置が備える切替部は複数個であっても良い。眼科装置の態様も限定されず、上述のようにヘッド部と本体部とを備える眼科装置以外にも種々の要素を備える眼科装置であって良い。
【００７３】
眼科装置は第１の種類の眼特性の測定に利用される第１測定部と第２の種類の眼特性の測定に利用される第２測定部とを備えていればよい。第１測定部および第２測定部において測定対象となる眼特性は限定されない。例えば、眼圧、眼屈折力、角膜曲率、角膜形状、視力、眼球の表面状態（傷や濁り、炎症等）、視野、網膜断層像、角膜内皮などの、各種の特性が検査（測定）されて良い。むろん、３種類以上の眼特性が測定可能であっても良い。
【００７４】
第１測定部は、第１の種類の眼特性の測定に利用される装置の少なくとも一部であれば良く、全てであっても良い。第２測定部も同様であり、第２測定部は、第２の種類の眼特性の測定に利用される装置の少なくとも一部であれば良く、全てであっても良い。
【００７５】
第１状態は、第１測定部が測定に使用され、第２測定部が収容されている状態である。第２状態は、第２測定部が測定に使用され、第１測定部が収容されている状態である。切替部は、第１状態と第２状態とを切り替えることができればよい。すなわち、第１測定部および第２測定部は、切替部によって切り替えられることによっていずれか一方が使用対象となる。
【００７６】
第１測定部や第２測定部の測定可能位置は、各測定部による眼特性の測定を可能にする位置であり、例えば、見口部を眼前に配置した状態で測定が行われる測定部であれば、各測定部の見口部を眼前に配置する位置が測定可能位置である。第１収容部は第１測定部が使用されない状態において収容される部分であり、第２収容部は第２測定部が使用されない状態において収容される部分であれば良い。
【００７７】
第１収容部、第２収容部は、種々の構成によって実現されて良く、眼科装置の筐体（本体部やヘッド部）内が収容部となっても良いし、筐体の外部が収容部となってもよい。いずれにしても、第１測定部、第２測定部が第１収容部、第２収容部に収容された状態で第１カバー、第２カバーが第１測定部、第２測定部を保護する。
【００７８】
第１カバーは、第１状態において第１収容部のカバーとなる。すなわち、第１測定部が第１収容部に収容されていない状態においては第１収容部をカバーする。従って、第１収容部は、第１カバーによって保護され得る。一方、第１カバーは、第２状態において第１収容部に収容された第１測定部のカバーとなる。第１カバーは少なくとも保護すべき部分を保護していれば良く、第１収容部に収容された第１測定部の全てが露出しないようにカバーされても良いし、保護すべき部分が露出しないようにカバーされても良い。
【００７９】
第２カバーも同様であり、第２測定部が第２収容部に収容されていない状態においては第２収容部をカバーする。従って、第２収容部は、第２カバーによって保護され得る。一方、第２カバーは少なくとも保護すべき部分を保護していれば良く、第２収容部に収容された第２測定部の全てが露出しないようにカバーされても良いし、保護すべき部分が露出しないようにカバーされても良い。
【００８０】
第１カバーと第２カバーの態様は限定されず、上述の実施形態のように、回転軸に対して回転可能に支持された蓋によって構成されても良いし、開口部に対してスライドするシャッターによって構成されても良いし、他にも種々の構成を採用可能である。むろん、蓋やシャッターの移動方向は、揺動方向や直線方向に限定されない。
【００８１】
さらに、第１カバー、第２カバーが切替部による切り替えに連動する態様は、種々の態様を採用し得る。すなわち、切替部が備える接触部によって第１カバーが動作したり、切替部に接続されたリンク機構によって第２カバーが動作したりする構成以外にも種々の構成が採用されてよい。例えば、切替部を動作させるモーター等の駆動部が第１カバーと第２カバーを駆動しても良いし、切替部を動作させるモーター等の駆動部に同期して動作する他の駆動部が第１カバーと第２カバーを駆動しても良い。
【００８２】
第１カバー、第２カバーを駆動させるための機構も、種々の機構を採用可能である。例えば、上述の接触部によって第１カバーを移動させるカム（接触面１０ｄと接触部７００ｂ）と異なる各種のカム機構が採用されてもよいし、第２カバーを移動させるリンク機構と異なる各種のリンク機構が採用されてもよい。むろん、第１カバーがリンク機構で動作し、第２カバーがカム機構で動作しても良いし、他の機構、例えば、ギアやボールネジ等を利用した機構が採用されてもよい。
【００８３】
切替部による切り替えの過程は、各測定部が収容部に収容されている状態と収容されていない状態とを切り替える過程である。そして、測定部が収容部に収容されていない状態で収容部がカバーされていると、測定部を収容部に移動させることができない。そこで、切り替えに連動して第１カバーが第１測定部の移動経路から一旦退避し、第２カバーが第２測定部の移動経路から一旦退避するように構成される。この意味で、切替部の動作と第１カバー、第２カバーの動作が連動する際に、切替部の動作の全課程で第１カバー、第２カバーが動作している構成に限定されない。例えば、第１カバーは、第１測定部と干渉し得るタイミングのみで動作して第１測定部の移動経路から退避し、第２カバーは、第２測定部と干渉し得るタイミングのみで動作して第２測定部の移動経路から退避するような構成であっても良い。
【００８４】
切替部による第１測定部、第２測定部の切り替えは、上述の実施形態のように回転による切り替えに限定されず、第１測定部、第２測定部を並進運動させることによって切り替えが行われてもよい。
【００８５】
さらに、複数の測定部のそれぞれをカバーする複数のカバーを、測定部の切り替えに連動して動作させる手法は、方法の発明としても適用可能である。また、以上のような眼科装置、方法は、単独の装置として実現される場合や、複数の機能を有する装置の一部として実現される場合が想定可能であり、各種の態様を含むものである。
【符号の説明】
【００８６】
１…眼科装置、１０…第１カバー、１０ａ…回転軸、１０ｂ…第１収容部、１０ｃ…バネ、１０ｄ…接触面、１０ｒ…リブ、２０…第２カバー、２０ａ１…突出部、２０ｂ…第２収容部、２０ｂ１…突出部、２０ｃ…バネ、２１…リンク機構、２１ａ…上端部、２１ｂ…下端部、１００…アライメント光学系、２００…変位変形検出受光光学系、２０５…ノズル、２０５ａ…第２見口部、２０６…平面ガラス、３００…観察光学系、４００…固視光学系、５００…眼屈折力光学系、５１０…平面ガラス、５１０ａ…第１見口部、６００…制御部、６０１…本体部、６０２…ヘッド部、６０３…溝、６１０…切替制御部、６２０…シリンダー制御部、６３０…ＸＹＺ駆動制御部、６４０…ジョイスティック、６５０…モニタ、６６０…タッチパネル、６７０…メモリ、６８０…固視標制御部、７００…切替部、７００ａ…部位、７００ｂ…接触部、７９０…回転機構部
【図１】
2020058582.tif 000003
【図２】
2020058582.tif 000004
【図３】
2020058582.tif 000005
【図４】
2020058582.tif 000006
【図５】
2020058582.tif 000007
【図６】
2020058582.tif 000008
【図７】
2020058582.tif 000009
【図８】
2020058582.tif 000010